【手続補正書】
【提出日】平成18年10月16日(2006.10.16)
【手続補正１】
【補正対象書類名】明細書
【補正対象項目名】特許請求の範囲
【補正方法】変更
【補正の内容】
【特許請求の範囲】
【請求項１】投票された複数のランキングを集計した集計ランキングを記憶する記憶手段と、ランキングに関する処理を行う処理手段とからなるコンピュータシステムであり、
前記処理手段は、ランキングを投票するための投票手段から投票された投票ランキングを受付ける手段、前記集計ランキングと前記投票ランキングとに基づいてランキングに関する返却情報を作成する返送情報作成処理を行う手段、前記返却情報を前記投票手段に返送する手段を備えることを特徴とするランキング情報返送のためのコンピュータシステム。
【請求項２】前記返送情報作成処理とは、前記集計ランキングと前記投票ランキングとを比較可能にする第一比較情報を作成し、その第一比較情報を前記返送情報に含めるための処理であることを特徴とする請求項１記載のランキング情報返送のためのコンピュータシステム。
【請求項３】前記返送情報作成処理とは、前記集計ランキングには存在するが前記投票ランキングには存在しないランキングに関する第二比較情報を作成し、その第二比較情報を前記返送情報に含めるための処理であることを特徴とする請求項１乃至２記載のランキング情報返送のためのコンピュータシステム。
【請求項４】前記処理手段は、前記集計ランキングを集計した後に新たな第二集計ランキングを集計する手段、前記集計ランキングに存在しないが前記第二集計ランキングには存在するランキングに関する第三比較情報を作成し、その第三比較情報を前記投票手段に送信する手段を備えることを特徴とする請求項１乃至３記載のランキング情報返送のためのコンピュータシステム。
【請求項５】前記集計ランキングには過去に集計された歴代集計ランキングが含まれ、前記返却情報作成処理とは、前記返送情報に前記歴代集計ランキングに関する情報を含めるための処理であることを特徴とする請求項１乃至４記載のランキング情報返送のためのコンピュータシステム。
【請求項６】前記投票ランキングにはランキングの対象分野を特定する対象分野特定情報が含まれ、前記記憶手段には関連する分野を特定するための関連分野特定情報が記憶されており、前記返却情報作成処理とは、前記処理手段が前記対象分野特定情報と前記関連分野特定情報とに基づいて関連分野を特定し、その関連分野に関するランキング情報を前記返却情報に含めるための処理であることを特徴とする請求項１乃至５記載のランキング情報返送のためのコンピュータシステム。
【請求項７】前記関連分野特定情報とは、前記処理手段が複数の前記投票ランキングに基づいて作成した情報であることを特徴とする請求項１乃至６記載のランキング情報返送のためのコンピュータシステム。
【請求項８】前記記憶手段には、投票者の趣向を特定する趣向特定情報が記憶されており、前記返送情報作成処理とは、前記趣向特定情報と前記投票ランキングに基づいて投票者の趣向を特定し、前記集計ランキングの中から特定された趣向に合致した同趣向ランキングを検索し、その同趣向ランキングを前記返送情報に含めるための処理であることを特徴とする請求項１乃至７記載のランキング情報返送のためのコンピュータシステム。
【請求項９】前記趣向特定情報とは、前記処理手段が複数の前記投票ランキングに基づいて作成した情報であることを特徴とする請求項１乃至８記載のランキング情報返送のためのコンピュータシステム。
【請求項１０】前記返送情報作成処理とは、前記集計ランキングの中から前記投票ランキングに類似するランキングを投票した類似投票者を検索し、前記集計ランキングの中から前記類似投票者が投票した類似者ランキングを検索し、その類似者ランキングを前記返却情報に含めるための処理であることを特徴とする請求項１乃至９記載のランキング情報返送のためのコンピュータシステム。
【請求項１１】投票された複数のランキングを集計した集計ランキングを記憶する記憶手段と、ランキングに関する処理を行う処理手段とからなるコンピュータに処理を命令するものであり、
前記処理手段を、ランキングを投票するための投票手段から投票された投票ランキングを受付ける手段、前記集計ランキングと前記投票ランキングとに基づいてランキングに関する返却情報を作成する返送情報作成処理を行う手段、前記返却情報を前記投票手段に返送する手段として機能させることを特徴とするランキング情報返送のためのコンピュータプログラム。
【請求項１２】前記返送情報作成処理とは、前記集計ランキングと前記投票ランキングとを比較可能にする第一比較情報を作成し、その第一比較情報を前記返送情報に含めるための処理であることを特徴とする請求項１１記載のランキング情報返送のためのコンピュータプログラム。
【請求項１３】前記返送情報作成処理とは、前記集計ランキングには存在するが前記投票ランキングには存在しないランキングに関する第二比較情報を作成し、その第二比較情報を前記返送情報に含めるための処理であることを特徴とする請求項１１乃至１２記載のランキング情報返送のためのコンピュータプログラム。
【請求項１４】前記処理手段を、前記集計ランキングを集計した後に新たな第二集計ランキングを集計する手段、前記集計ランキングに存在しないが前記第二集計ランキングには存在するランキングに関する第三比較情報を作成し、その第三比較情報を前記投票手段に送信する手段として機能させることを特徴とする請求項１１乃至１３記載のランキング情報返送のためのコンピュータプログラム。
【請求項１５】前記集計ランキングには過去に集計された歴代集計ランキングが含まれ、前記返却情報作成処理とは、前記返送情報に前記歴代集計ランキングに関する情報を含めるための処理であることを特徴とする請求項１１乃至１４記載のランキング情報返送のためのコンピュータプログラム。
【請求項１６】前記投票ランキングにはランキングの対象分野を特定する対象分野特定情報が含まれ、前記記憶手段には関連する分野を特定するための関連分野特定情報が記憶されており、前記返却情報作成処理とは、前記処理手段が前記対象分野特定情報と前記関連分野特定情報とに基づいて関連分野を特定し、その関連分野に関するランキング情報を前記返却情報に含めるための処理であることを特徴とする請求項１１乃至１５記載のランキング情報返送のためのコンピュータプログラム。
【請求項１７】前記関連分野特定情報とは、前記処理手段が複数の前記投票ランキングに基づいて作成した情報であることを特徴とする請求項１１乃至１６記載のランキング情報返送のためのコンピュータプログラム。
【請求項１８】前記記憶手段には、投票者の趣向を特定する趣向特定情報が記憶されており、前記返送情報作成処理とは、前記趣向特定情報と前記投票ランキングに基づいて投票者の趣向を特定し、前記集計ランキングの中から特定された趣向に合致した同趣向ランキングを検索し、その同趣向ランキングを前記返送情報に含めるための処理であることを特徴とする請求項１１乃至１７記載のランキング情報返送のためのコンピュータプログラム。
【請求項１９】前記趣向特定情報とは、前記処理手段が複数の前記投票ランキングに基づいて作成した情報であることを特徴とする請求項１１乃至１８記載のランキング情報返送のためのコンピュータプログラム。
【請求項２０】前記返送情報作成処理とは、前記集計ランキングの中から前記投票ランキングに類似するランキングを投票した類似投票者を検索し、前記集計ランキングの中から前記類似投票者が投票した類似者ランキングを検索し、その類似者ランキングを前記返却情報に含めるための処理であることを特徴とする請求項１１乃至１９記載のランキング情報返送のためのコンピュータプログラム。
【請求項２１】投票された複数のランキングを集計した集計ランキングを記憶する記憶手段と、ランキングに関する処理を行う処理手段とからなるコンピュータにより実現されるものであり、
前記処理手段は、ランキングを投票するための投票手段から投票された投票ランキングを受付け、前記集計ランキングと前記投票ランキングとに基づいてランキングに関する返却情報を作成する返送情報作成処理を行い、前記返却情報を前記投票手段に返送することを特徴とするランキング情報返送方法。
【請求項２２】前記返送情報作成処理とは、前記集計ランキングと前記投票ランキングとを比較可能にする第一比較情報を作成し、その第一比較情報を前記返送情報に含めるための処理であることを特徴とする請求項２１記載のランキング情報返送方法。
【請求項２３】前記返送情報作成処理とは、前記集計ランキングには存在するが前記投票ランキングには存在しないランキングに関する第二比較情報を作成し、その第二比較情報を前記返送情報に含めるための処理であることを特徴とする請求項２１乃至２２記載のランキング情報返送方法。
【請求項２４】前記処理手段は、前記集計ランキングを集計した後に新たな第二集計ランキングを集計し、前記集計ランキングに存在しないが前記第二集計ランキングには存在するランキングに関する第三比較情報を作成し、その第三比較情報を前記投票手段に送信することを特徴とする請求項２１乃至２３記載のランキング情報返送方法。
【請求項２５】前記集計ランキングには過去に集計された歴代集計ランキングが含まれ、前記返却情報作成処理とは、前記返送情報に前記歴代集計ランキングに関する情報を含めるための処理であることを特徴とする請求項２１乃至２４記載のランキング情報返送方法。
【請求項２６】前記投票ランキングにはランキングの対象分野を特定する対象分野特定情報が含まれ、前記記憶手段には関連する分野を特定するための関連分野特定情報が記憶されており、前記返却情報作成処理とは、前記処理手段が前記対象分野特定情報と前記関連分野特定情報とに基づいて関連分野を特定し、その関連分野に関するランキング情報を前記返却情報に含めるための処理であることを特徴とする請求項２１乃至２５記載のランキング情報返送方法。
【請求項２７】前記関連分野特定情報とは、前記処理手段が複数の前記投票ランキングに基づいて作成した情報であることを特徴とする請求項２１乃至２６記載のランキング情報返送方法。
【請求項２８】前記記憶手段には、投票者の趣向を特定する趣向特定情報が記憶されており、前記返送情報作成処理とは、前記趣向特定情報と前記投票ランキングに基づいて投票者の趣向を特定し、前記集計ランキングの中から特定された趣向に合致した同趣向ランキングを検索し、その同趣向ランキングを前記返送情報に含めるための処理であることを特徴とする請求項２１乃至２７記載のランキング情報返送方法。
【請求項２９】前記趣向特定情報とは、前記処理手段が複数の前記投票ランキングに基づいて作成した情報であることを特徴とする請求項２１乃至２８記載のランキング情報返送方法。
【請求項３０】前記返送情報作成処理とは、前記集計ランキングの中から前記投票ランキングに類似するランキングを投票した類似投票者を検索し、前記集計ランキングの中から前記類似投票者が投票した類似者ランキングを検索し、その類似者ランキングを前記返却情報に含めるための処理であることを特徴とする請求項２１乃至２９記載のランキング情報返送方法。
【手続補正２】
【補正対象書類名】明細書
【補正対象項目名】０００４
【補正方法】変更
【補正の内容】
【０００４】
本発明は、例えば、次のような手段を備えるコンピュータシステム、コンピュータが次のような処理を行う方法、コンピュータを次のような手段として機能させるコンピュータプログラムである。
（１）投票された複数のランキングを集計した集計ランキングを記憶する記憶手段と、ランキングに関する処理を行う処理手段とからなるコンピュータシステムであり、
前記処理手段は、ランキングを投票するための投票手段から投票された投票ランキングを受付ける手段、前記集計ランキングと前記投票ランキングとに基づいてランキングに関する返却情報を作成する返送情報作成処理を行う手段、前記返却情報を前記投票手段に返送する手段を備える。
（２）前記返送情報作成処理とは、前記集計ランキングと前記投票ランキングとを比較可能にする第一比較情報を作成し、その第一比較情報を前記返送情報に含めるための処理である。
（３）前記返送情報作成処理とは、前記集計ランキングには存在するが前記投票ランキングには存在しないランキングに関する第二比較情報を作成し、その第二比較情報を前記返送情報に含めるための処理である。
（４）前記処理手段は、前記集計ランキングを集計した後に新たな第二集計ランキングを集計する手段、前記集計ランキングに存在しないが前記第二集計ランキングには存在するランキングに関する第三比較情報を作成し、その第三比較情報を前記投票手段に送信する手段を備える。
（５）前記集計ランキングには過去に集計された歴代集計ランキングが含まれ、前記返却情報作成処理とは、前記返送情報に前記歴代集計ランキングに関する情報を含めるための処理である。
（６）前記投票ランキングにはランキングの対象分野を特定する対象分野特定情報が含まれ、前記記憶手段には関連する分野を特定するための関連分野特定情報が記憶されており、前記返却情報作成処理とは、前記処理手段が前記対象分野特定情報と前記関連分野特定情報とに基づいて関連分野を特定し、その関連分野に関するランキング情報を前記返却情報に含めるための処理である。
（７）前記関連分野特定情報とは、前記処理手段が複数の前記投票ランキングに基づいて作成した情報である。
（８）前記記憶手段には、投票者の趣向を特定する趣向特定情報が記憶されており、前記返送情報作成処理とは、前記趣向特定情報と前記投票ランキングに基づいて投票者の趣向を特定し、前記集計ランキングの中から特定された趣向に合致した同趣向ランキングを検索し、その同趣向ランキングを前記返送情報に含めるための処理である。
（９）前記趣向特定情報とは、前記処理手段が複数の前記投票ランキングに基づいて作成した情報である。
（１０）前記返送情報作成処理とは、前記集計ランキングの中から前記投票ランキングに類似するランキングを投票した類似投票者を検索し、前記集計ランキングの中から前記類似投票者が投票した類似者ランキングを検索し、その類似者ランキングを前記返却情報に含めるための処理である。